(57)【要約】【課題】個人情報の漏洩の防止や防犯等と、来訪者の不便の解消とを共に考慮した電子表札システムを提供する。【解決手段】訪問者が自身を特定する訪問元識別情報を記憶する非接触型ＩＣカード９０を、電子表札１００に設けられた訪問元識別情報入力部７０に近づけることで、電子表札１００がＩＣカード９０から訪問元識別情報を読み取り、読み取った訪問元識別情報に基づいて訪問元を識別し、訪問元が表札情報を表示する対象の訪問元である場合には、表示部７２に表札情報を表示する。【選択図】図１
2010039151.tif 000002
【特許請求の範囲】
【請求項１】
表示部と、
前記表示部に表札として表示される表札情報を記憶する表示情報記憶部と、
訪問元識別情報の入力を受け付ける識別情報入力部と、
前記識別情報入力部を介して特定の訪問元識別情報が入力されたことに対応して、前記表示情報記憶部に記憶された前記表札情報を前記表示部に予め定められた期間表示させる表示制御部と、
を備えることを特徴とする電子表札システム。
【請求項２】
表示部と、
前記表示部に表札として表示される少なくとも一つの項目を含む表札情報を記憶する表示情報記憶部と、
訪問元識別情報と表示対象の少なくとも一つの項目とを関連づけた表示条件情報を記憶する表示条件情報記憶部と、
訪問元識別情報の入力を受け付ける識別情報入力部と、
前記識別情報入力部を介して訪問元識別情報が入力されたことに対応して、前記表示条件情報を参照することにより、入力された訪問元識別情報に関連付けられた表示対象の項目を特定し、特定された項目を前記表示情報記憶部から読み出し、読み出された項目を表札情報として前記表示部に予め定められた期間表示させる表示制御部と、
を備えることを特徴とする電子表札システム。
【請求項３】
請求項２に記載の電子表札システムにおいて、
前記表札情報記憶部は、表札情報に含まれる項目として、名字、名前、および住所を記憶し、
前記表示条件情報記憶部は、特定の訪問元識別情報に対して名字、名前および住所のうち少なくとも一つの項目を表示対象の項目として関連付けた表示条件情報を記憶し、
前記表示制御部は、入力された訪問元識別情報に関連付けられた項目を特定し、特定された項目を表札情報として前記表示部に表示させる、
ことを特徴とする電子表札システム。
【請求項４】
請求項２に記載の電子表札システムにおいて、
前記表示条件情報記憶部は、表示条件情報として、訪問元識別情報及び表示対象の項目の他に表示許可時間帯を関連付けて記憶し、
前記表示制御部は、前記識別情報入力部を介した訪問元識別情報の入力時点が、当該入力された訪問元識別情報に対応する表示許可時間帯に含まれている場合に、当該訪問元識別情報に基づき特定された項目を前記表示部に表示させる、
ことを特徴とする電子表札システム。
【請求項５】
請求項１または２に記載の電子表札システムにおいて、
前記表示情報記憶部は、前記表札情報の他に待ち受け表示情報を記憶し、
前記表示制御部は、表示部に表札情報が表示されていない場合には、前記表示情報記憶部に記憶されている前記待ち受け表示情報を前記表示部に表示させる、
ことを特徴とする電子表札システム。
【発明の詳細な説明】
【技術分野】
【０００１】
本発明は、表札情報を表示する電子表札システムに関する。
【背景技術】
【０００２】
玄関、門扉、郵便ポスト等の近傍に設置される一般的な表札として、名字や住所等の情報を彫刻、プリント等の加工により表面に施した木板、アルミ板、ガラス板等の板部材や、名字等を象ったワイヤーフレーム等のオブジェを用いることが知られている。
【０００３】
一方、ディスプレイに表札を示す画像を表示することで表札機能を実現することも提案されている。
【０００４】
特許文献１には、平常時には表札として機能し、緊急異常時には、特定のメッセージの表示に切り替わって緊急事態の発生及びその発生場所を明瞭に報知し、犯罪等を未然に防止する電子表札が開示されている。
【０００５】
また、特許文献２には、表示画面に表札を表示する表札機能のほかに、インターホン機能、メッセージ機能、暗証番号入力機能、来訪者録画機能及び録画映像再生機能を備えた表示表札装置が開示されている。
【０００６】
さらに、特許文献３には、ワイヤレスデータ送受信器を介して訪問者を特定し、特定の訪問者への伝言メッセージを表示デバイスに自動表示する電子表札器が開示されている。
【０００７】
【特許文献１】特開２００６−２２７８６８号公報
【特許文献２】特開２００６−１２１４４２号公報
【特許文献３】特開平９−２５９３６５号公報
【発明の開示】
【発明が解決しようとする課題】
【０００８】
ところで、近年、個人情報漏洩の防止や防犯等の観点から玄関、門扉、郵便ポスト等に氏名や住所といった個人情報が表示される表札を設けない人々が増えてきている。
【０００９】
一方、宅配業者や知人等の訪問者が来訪する場合、表札が設けられていないと訪問元は訪問先を特定できず、不便な場合も多い。
【００１０】
しかしながら、一般的な表札は、一度設置すると取り外すことは容易でないため、情報漏洩の防止や防犯等と、来訪者の不便の解消を同時に実現することは実質的に困難である。
【００１１】
また、特許文献１〜３に提案されている表札機能を備えた装置でも、個人情報の漏洩の防止や防犯等と、来訪者の不便の解消とを共に考慮した設計にはなっていない。
【００１２】
本発明は、個人情報の漏洩の防止や防犯等と、来訪者の不便の解消とを共に考慮した電子表札システムを提供することを目的とする。
【課題を解決するための手段】
【００１３】
本発明に係る電子表札システムは、表示部と、前記表示部に表札として表示される表札情報を記憶する表示情報記憶部と、訪問元識別情報の入力を受け付ける識別情報入力部と、前記識別情報入力部を介して特定の訪問元識別情報が入力されたことに対応して、前記表示情報記憶部に記憶された前記表札情報を前記表示部に予め定められた期間表示させる表示制御部と、を備えることを特徴とする。
【００１４】
本発明に係る電子表札システムによれば、識別情報入力部を介して特定の訪問元識別情報が入力されたことに対応して、表示制御部が表示情報記憶部に記憶された表札情報を表示部に予め定められた期間表示させる。つまり、予め許可された訪問元識別情報が入力された場合のみ表札情報が表示部に表示されて、表札として機能する。よって、表札情報が必要以上に表示されないため、個人情報の漏洩の防止や防犯等を実現できる。さらに、予め許可された訪問元識別情報が入力されれば、表札情報が表示されるため、来訪者の不便も解消することができる。
【００１５】
本発明に係る電子表札システムの一つの態様では、表示部と、前記表示部に表札として表示される少なくとも一つの項目を含む表札情報を記憶する表示情報記憶部と、訪問元識別情報と表示対象の少なくとも一つの項目とを関連づけた表示条件情報を記憶する表示条件情報記憶部と、訪問元識別情報の入力を受け付ける識別情報入力部と、前記識別情報入力部を介して訪問元識別情報が入力されたことに対応して、前記表示条件情報を参照することにより、入力された訪問元識別情報に関連付けられた表示対象の項目を特定し、特定された項目を前記表示情報記憶部から読み出し、読み出された項目を表札情報として前記表示部に予め定められた期間表示させる表示制御部と、を備えることを特徴とする。
【００１６】
本発明に係る電子表札システムの一つの態様によれば、入力された訪問元識別情報が表示条件情報記憶部に記憶されている場合、その訪問元識別情報に関連付けられた表示対象の項目のみが表札情報として表示部に表示される。つまり、入力された訪問元識別情報が表示条件情報記憶部に記憶されている場合でも、必要以上に表札情報の項目が表示部には表示されない。よって、訪問元識別情報の入力を行った訪問者に対しても不必要な表札情報の項目が表示されないため、より確実に個人情報の漏洩の防止や防犯等を実現することができる。
【００１７】
本発明に係る電子表札システムの一つの態様では、前記表札情報記憶部は、表札情報に含まれる項目として、名字、名前、および住所を記憶し、前記表示条件情報記憶部は、訪問元識別情報に対して名字、名前および住所のうち少なくとも一つの項目を表示対象の項目として関連付けた表示条件情報を記憶し、前記表示制御部は、入力された訪問元識別情報に関連付けられた項目を特定し、特定された項目を表札情報として前記表示部に表示させることを特徴とする。
【００１８】
本発明に係る電子表札システムの一つの態様によれば、表札情報に含まれる項目として、名字、名前、および住所が記憶されているため、表札情報として訪問元識別情報に応じて名字、名前、あるいは住所を表示部に表示させることができる。
【００１９】
本発明に係る電子表札システムの一つの態様では、前記表示条件情報記憶部は、表示条件情報として、訪問元識別情報及び表示対象の項目の他に表示許可時間帯を関連付けて記憶し、前記表示制御部は、前記識別情報入力部を介した訪問元識別情報の入力時点が、当該入力された訪問元識別情報に対応する表示許可時間帯に含まれている場合に、当該訪問元識別情報に基づき特定された項目を前記表示部に表示させる、ことを特徴とする。
【００２０】
本発明に係る電子表札システムの一つの態様によれば、識別情報入力部を介した訪問元識別情報の入力時点が、入力された訪問元識別情報に対応する表示許可時間帯に含まれている場合に、当該訪問元識別情報に基づき特定された項目を表示部に表示させる。つまり、入力された訪問元識別情報が表示条件情報記憶部に記憶されている場合でも、その訪問元識別情報が入力された時点が、表示許可時間帯に含まれない場合には、表示部に表札情報は表示されない。よって、必要以上に表札情報が表示されることを防止することができるため、より確実に個人情報の漏洩の防止や防犯等を実現することができる。
【００２１】
本発明に係る電子表札システムの一つの態様では、前記表示情報記憶部は、前記表札情報の他に待ち受け表示情報を記憶し、前記表示制御部は、表示部に表札情報が表示されていない場合には、前記表示情報記憶部に記憶されている前記待ち受け表示情報を前記表示部に表示させる、ことを特徴とする。
【００２２】
本発明に係る電子表札システムの一つの態様によれば、表示部に表札情報が表示されていない場合には、待ち受け表示情報が表示部に表示される。よって、表札情報が表示されていない場合にも、例えば電子表札システムを装飾あるいは広告媒体として活用させることができる。
【発明の効果】
【００２３】
本発明によれば、特定の訪問元識別情報が入力されたことに対応して、表札情報が表示部に予め定められた期間表示されるため、個人情報の漏洩の防止や防犯等と、来訪者の不便の解消とを共に考慮した電子表札システムを提供することができる。
【発明を実施するための最良の形態】
【００２４】
本発明を実施するための最良の形態を具体的に実現する実施形態について、以下図面を用いて説明する。
【００２５】
図１は、第１の実施形態に係る電子表札システムの外観イメージ（図中（Ａ）は通常時、（Ｂ）は表札情報表示時を示す。）の模式図を示す。
【００２６】
第１の実施形態に係る電子表札システムでは、訪問者（訪問元）が自身を特定する訪問元識別情報を記憶する非接触型ＩＣカード９０を、図１の（Ａ）に示すような電子表札１００に設けられた訪問元識別情報入力部７０に近づけることで、電子表札１００がＩＣカード９０から訪問元識別情報を読み取る。さらに電子表札１００は読み取った訪問元識別情報に基づいて訪問元を識別し、訪問元が表札情報を表示する対象の訪問元である場合には、図１の（Ｂ）に示すように、表示部７２に表札情報を表示する。
【００２７】
より具体的に、図２に示す電子表札１００の機能ブロックを参照してさらに説明する。
【００２８】
図２において、ＣＰＵ１０は、ＲＯＭ１２に記憶されたＢＩＯＳプログラムなどの基本的な制御プログラムをＲＡＭ１４に展開して、バス８０を介して各部を制御する。さらに、ＣＰＵ１０は、記憶装置３０に記憶されたプログラム４０をＲＡＭ１４に展開して、各種機能を実現する。
【００２９】
訪問元識別情報入力部７０は、非接触型ＩＣカード９０と無線通信を行い、非接触型ＩＣカード９０に記憶された訪問元識別情報を読み取る所謂リーダ／ライタである。表示部７２は、例えば液晶ディスプレイ（ＬＣＤ）などの汎用ディスプレイを有し、後述の表示制御部４２から提供される表札情報を表示画像として画面に表示する。操作部７４は、電子表札システムに対するユーザからの各種指示の入力を受け付けるユーザインタフェースである。なお、本実施形態では、訪問元識別情報入力部７０を介した訪問元識別情報の入力を非接触型ＩＣを利用した無線通信で行う例について説明するが、訪問元識別情報の入力は無線通信には限定されず、有線通信や操作部７４を介した手動入力で行っても構わない。
【００３０】
さらに、表示制御部４２は、ＣＰＵ１０により実行されるプログラムの一つであり、訪問元識別情報入力部７０を介した訪問元識別情報の入力に対応して、表示部７２への表札情報の表示制御を行う。詳細は後述する。
【００３１】
表示情報記憶部５０は、表示部７２に表示される表示情報として表札情報を記憶する。表札情報は、例えば、図３に示すように複数の項目を含む。つまり、表札として表示させる項目として、例えば、図３に示すように、名字１００Ｈ、家族を構成するそれぞれの名前１０２Ｈ〜１０８Ｈ、表札に対応する住所１１０Ｈ、および電話番号１１２Ｈがそれぞれ表示情報として表示部７２に記憶されている。なお、各項目は、例えば電子表札１００を玄関、門扉、郵便ポスト等に設置する際に操作部７４等を介して事前に登録しておけばよい。
【００３２】
表示条件情報記憶部５２には、表札情報を表示部７２に表示させることができる条件が予め登録されている。第１の実施形態では、表示条件情報記憶部５２には、表札情報の表示を許可する訪問元識別情報が登録されており、表示制御部４２は、入力された訪問元識別情報に基づいて訪問元の認証を行う。より具体的には、表示制御部４２は、入力された訪問元識別情報が表示条件情報記憶部５２に登録されている場合には、表示情報を表示することが許可された特定の訪問元識別情報が入力されたと判断して、表札情報の表示処理を継続する。一方、入力された訪問元識別情報が表示条件情報記憶部５２に登録されていない場合は、表示情報を表示することが許可されていない訪問元識別情報が入力されたと判断して、表札情報の表示処理を中断する。
【００３３】
図４は、第１の実施形態に係る表示制御部４２が、訪問元識別情報が入力されたことに対応して行う表札情報の表示手順を示すフローチャートである。
【００３４】
図４において、表示制御部４２は、訪問元識別情報入力部７０を介して訪問元識別情報の入力を受け付けると（Ｓ１００）、入力された訪問元識別情報に基づいて認証を行う（Ｓ１０２）。より具体的には、訪問者が非接触型ＩＣカード９０を訪問元識別情報入力部７０にかざすことで、非接触型ＩＣカード９０と訪問元識別情報入力部７０とが無線通信を行い、訪問元識別情報入力部７０が非接触型ＩＣカード９０から訪問元識別情報を受信し、受信した訪問元識別情報がバス８０を介して表示制御部４２に入力され、表示制御部４２が認証を開始する。表示制御部４２による認証は前述の通り、第１の実施形態では、入力された訪問元識別情報が表示条件情報記憶部５２に登録されているかどうかにより行う。
【００３５】
ステップＳ１０２における認証の結果、認証に失敗した場合（ステップＳ１０４における判定結果が、否定「Ｎ」）、つまり、入力された訪問元識別情報が表示条件情報記憶部５２に登録されていない場合、表示制御部４２は、今回の訪問者は表札情報の表示が許可されていないと判断して、エラー処理を行う（Ｓ１０６）。エラー処理としては、例えば、表示部７２に「あなたのカードは許可されていないため、表札を表示できません。」などのエラーメッセージを表示させる、あるいは音声で表示できない旨を知らせるなどすることで訪問者に通知すればよい。
【００３６】
一方、ステップＳ１０２における認証の結果、認証に成功した場合（ステップＳ１０４における判定結果が、肯定「Ｙ」）、つまり、入力された訪問元識別情報が表示条件情報記憶部５２に登録されている場合、表示制御部４２は、表示情報記憶部５０から表札情報を読み出し、表示部７２に読み出された表札情報を表示する（Ｓ１０８）。その後、表示制御部４２は、表札情報の表示期間が所定の表示期間（例えば、１分）経過した場合（ステップＳ１１０の判定結果が、肯定「Ｙ」）、表示部７２に表示された表札情報の表示を消去する（Ｓ１１２）。
【００３７】
以上、第１の実施形態によれば、訪問者が予め表札情報の表示が許可されている非接触型ＩＣカード９０を用いて表札の表示を要求しなければ、氏名や住所等の表札情報が表示部７２に表示されない。つまり、通常時は、表示部７２に表札情報を表示させず、予め許可された訪問者からの要求があった場合のみ、表札情報を予め定められた期間のみ表示させる。よって、通常は表札情報は表示されていないため、不特定多数の人々に対して氏名や住所等が示されることを防ぐことができる。さらに、宅配業者や知人等の予め許可された訪問者に対しては適宜表札情報が表示されるため、従来のように表札が設置されていないことで、訪問者が訪問先を特定することができないという不便をかけることもない。
【００３８】
なお、非接触型ＩＣカードは、例えば、宅配業者ごとに割り当てられた訪問元識別情報を登録しておき、予め各宅配業者等に配布しておけばよい。そして、宅配業者は、それぞれ非接触型ＩＣカードを携帯し、電子表札が設置された配達先に出向いた際にそのカードを用いて、表札情報を表示させ、氏名や住所等を確認すればよい。
【００３９】
続いて、第２の実施形態について、以下図面を用いて説明する。なお、第２の実施形態に係る電子表札１００の機能ブロックは、第１の実施形態と大きな相違はないため、図２に示した機能ブロックを参照されたい。
【００４０】
第２の実施形態では、入力される訪問元識別情報に応じて表示される表札情報の項目が異なる点で、第１の実施形態とは異なる。
【００４１】
すなわち、第２の実施形態では、図５Ａに示すように、訪問元識別情報ごとに、予め表示対象の項目を関連付けておき、表示条件情報記憶部５２に記憶しておく。図５Ａでは、「○」が登録されている項目が表示対象の項目を示す。表示制御部４２は、入力された訪問元識別情報がまず表示条件情報記憶部５２に登録されているかどうかを判断する。判断の結果、登録されている場合、表示制御部４２は、その訪問元識別情報に対して表示対象として関連付けられている項目を特定し、特定された項目のみを表示情報記憶部５０から取得して、表示部７２に表示する。例えば、入力された訪問元識別情報が「３３３０」の場合には、図５Ａに示すように、表示対象の項目は、「名字」、「名前１」、「名前２」、及び「住所」である。また、入力された訪問元識別情報が「９９４０」の場合には、表示対象の項目は、「名字」及び「名前４」である。
【００４２】
図６は、第２の実施形態に係る表示制御部４２が、訪問元識別情報が入力されたことに対応して行う表札情報の表示手順を示すフローチャートである。ここで、図６に示すフローチャートは、図４に示すフローチャートと、認証に成功した後に表示対象の項目を特定する処理が追加されている点で異なる。
【００４３】
すなわち、図４において、まず、表示制御部４２は、訪問元識別情報の入力を受けて（Ｓ２００）、入力された訪問元識別情報が表示条件情報記憶部５２に登録されているかどうかを判断することで認証を行う（Ｓ２０２）。その後、認証に成功した場合には（ステップＳ２０４の判定結果が、肯定「Ｙ」）、表示制御部４２は、さらに表示条件情報記憶部５２を参照して入力された訪問元識別情報に関連付けられた項目を特定し（Ｓ２０７）、特定された項目を含む表示情報を表示画像として、表示部７２に表示する（Ｓ２０８）。その後、第１の実施形態と同様に所定の表示期間が過ぎるまで表札情報の表示を継続し、その期間が過ぎると（ステップＳ２１０の判定結果が、肯定「Ｙ」）、その表札情報を画面から消去する（Ｓ２１２）。
【００４４】
以上、第２の実施形態によれば、訪問者ごとに表示情報として表示される項目を変更することができる。例えば、ある特定の宅配業者から「名前４」宛の商品が届くことが予め把握できている場合には、予めその宅配業者に対応する訪問元識別情報に対して「名前４」のみを表示対象の名前として関連付けておく。このように特定の項目のみ表示するようにすることで、表札情報の表示が許可されている訪問者に対してもさらに参照することができる項目を絞り込むことができる。よって、札情報の表示が許可されている訪問者に対しても必要以上に個人情報を知られる必要がなくなる。また、特定の氏名のみが絞り込まれて表示されるため、すべての氏名を表示してそれらの氏名の中から該当する氏名を特定するよりも、特定の氏名を把握することが容易になる。
【００４５】
さらに、図５Ｂに示すように、各訪問元識別情報に対して表示対象の項目を関連づけるだけでなく、例えば、表示を許可する時簡帯も登録しておいてもよい。
【００４６】
図５Ｂに示すように、各訪問元識別情報に対して表示を許可する時簡帯を登録しておくことで、必要以上に表札情報が表示部７２に表示されることを防ぐことができる。例えば、宅配業者は、通常深夜の宅配は行わない場合が多い。よって、その時間帯については宅配を目的とした表札情報の表示でない可能性が高い。つまり、不正に表示情報の表示を要求している可能性も考えられる。そこで、図５Ｂに示すように、表示を許可する時間帯を予め表示条件情報記憶部５２に登録しておき、不必要に表札情報が表示されることを防止してもよい。
【００４７】
なお、上記の各実施形態の説明では、無線通信を利用した訪問元識別情報を入力する手段として、非接触型ＩＣカードを用いる場合を例に説明した。しかし、訪問元識別情報を入力する手段としては、非接触型ＩＣカードには限定されない。例えば、訪問元識別情報を記憶する非接触型ＩＣを搭載した携帯電話などの携帯端末を利用しても構わない。携帯電話を利用する場合、例えば、携帯電話の電話番号を訪問元識別情報として用いても構わない。つまり、例えば知人を表札情報の表示対象として登録する場合には、その知人の携帯電話の番号を予め表示条件情報記憶部５２に登録しておく。その知人は携帯電話を訪問元識別情報入力部７０に近づけることで、認証が行われ、表示部７２に表札情報が表示される。
【００４８】
また、表示情報記憶部５０や表示条件情報記憶部５２を電子表札１００に組み込む例について説明したが、例えば、電子表札１００にインターネット等のネットワークに接続して通信を行う機能を搭載しておき、そのネットワーク上に表示情報記憶部５０や表示条件情報記憶部５２を備えたサーバを設置して、電子表札１００が、ネットワークを介して訪問元の認証を行う、あるいは表札情報の取得を行っても構わない。
【００４９】
さらに、表示部７２に表札情報が表示されていない場合には、表札情報以外の画像を待ち受け画面として表示部７２に表示しても構わない。この場合、予め表示情報記憶部５０に、表札情報以外に、待ち受け画面として利用する待ち受け表示情報を予め登録しておく。表示制御部４２は、表示部７２に表札情報が表示されていない場合には、表示情報記憶部５０に記憶された待ち受け表示情報を読み出し、表示すればよい。待ち受け表示情報としては、任意の画像を利用することができるが、例えば企業の広告を示す情報を待ち受け表示情報として登録しておき、表札情報が表示されていない場合には、電子表札を企業の広告媒体として利用しても構わない。また、模様や写真等を待ち受け表示情報として登録しておくことで、電子表札１００を表札兼用の装飾物として活用しても構わない。
【産業上の利用可能性】
【００５０】
本発明は、個人情報の漏洩の防止や防犯等と、来訪者の不便の解消とを共に考慮して表札情報が表示されるため、表札情報を表示する電子表札システム等に採用することができる。
【図面の簡単な説明】
【００５１】
【図１】第１の実施形態に係る電子表札システムの外観イメージの模式図である。
【図２】電子表札の機能ブロックを示す図である。
【図３】表示情報記憶部に記憶される表札情報の一例を示す図である。
【図４】第１の実施形態に係る表示制御部が、訪問元識別情報が入力されたことに対応して行う表札情報の表示手順を示すフローチャートである。
【図５Ａ】第２の実施形態において表示条件情報記憶部が記憶する表示条件情報の一例を示す図である。
【図５Ｂ】第２の実施形態において表示条件情報記憶部が記憶する表示条件情報の一例を示す図である。
【図６】第２の実施形態に係る表示制御部が、訪問元識別情報が入力されたことに対応して行う表札情報の表示手順を示すフローチャートである。
【符号の説明】
【００５２】
１０  ＣＰＵ
１２  ＲＯＭ
１４  ＲＡＭ
３０  記憶装置
４０  プログラム
４２  表示制御部
５０  表示情報記憶部
５２  表示条件情報記憶部
７０  訪問元識別情報入力部
７２  表示部
７４  操作部
８０  バス
９０  非接触型ＩＣカード
【図１】
2010039151.tif 000003
【図２】
2010039151.tif 000004
【図３】
2010039151.tif 000005
【図４】
2010039151.tif 000006
【図５Ａ】
2010039151.tif 000007
【図５Ｂ】
2010039151.tif 000008
【図６】
2010039151.tif 000009